(57)【要約】  新たなファームウェアによる光ドライブの更新後、又は光ドライブの不揮発性メモリ手段のコンテンツを変更した他の何れかのコンテンツの後、何れかの理由のため、ユーザが光りドライブの当初の動作状態を復元することを所望する可能性がある。しかしながら、古いファームウェアによる再フラッシュの後でさえ、当初の動作状態が良好に復元されない問題が生じるかもしれない。これは、多くの場合、新たなファームウェアがまた、再フラッシュ後でさえ、更新された状態に留まる光ドライブの他のプログラマブルコンテンツを再プログラムすることが可能であるという事実によるものである。  本発明によると、当初の動作状態を良好に復元する可能性が、更新／変更がなされる前に、記憶媒体、特にフラッシュディスク上に当初の動作状態を復元する必要があるすべての復元情報を格納することによって提供される。
2007534095.tif 000002
【特許請求の範囲】
【請求項１】
光ドライブの第１動作状態を復元する可能性を提供する方法であって、
ａ）前記光ドライブが前記第１動作状態にあるとき、前記光ドライブにバックアップモードに移行するよう指示する第１コマンドを前記光ドライブに送信するステップと、
ｂ）前記光ドライブによって、前記第１動作状態を復元するのに必要なすべての復元情報を提供するステップと、
ｃ）前記復元情報を記憶媒体に格納するステップと、
を有することを特徴とする方法。
【請求項２】
光ドライブの第１動作状態を復元する方法であって、
ａ）前記光ドライブが前記第１動作状態にあるとき、前記光ドライブにバックアップモードに移行するよう指示する第１コマンドを前記光ドライブに送信するステップと、
ｂ）前記光ドライブにより、前記第１動作状態を復元するのに必要なすべての復元情報を提供するステップと、
ｃ）前記復元情報を記憶媒体に格納するステップと、
ｄ）前記光ドライブに更新／変更モードに移行するよう指示する第２コマンドを前記光ドライブに送信するステップと、
ｅ）前記第１動作状態から第２動作状態に変更する更新／変更情報を前記光ドライブに提供するステップと、
ｆ）前記光ドライブに復元モードに移行するよう指示する第３コマンドを前記光ドライブに送信するステップと、
ｇ）前記記憶媒体から前記復元情報を読み、現在の動作状態から前記第１動作状態に変更する復元情報を前記光ドライブに提供するステップと、
を有することを特徴とする方法。
【請求項３】
請求項１又は２記載の方法であって、
前記ステップａ）は、ユーザにより前記第１コマンドを送信することを特徴とする方法。
【請求項４】
請求項３記載の方法であって、
前記ステップａ）は、前記光ドライブの制御手段を起動することを特徴とする方法。
【請求項５】
請求項１又は２記載の方法であって、
前記復元情報は、前記光ドライブを更新することによって直接的又は間接的に影響を与える可能性があるすべての不揮発性メモリ手段のコンテンツを復元することが可能であることを特徴とする方法。
【請求項６】
請求項１又は２記載の方法であって、
前記ステップｃ）は、前記光ドライブにより、前記復元情報を光記憶媒体に書き込むことを特徴とする方法。
【請求項７】
請求項６記載の方法であって、
前記ステップｃ）は、前記光ドライブに係るメモリ手段に前記復元情報を格納することを特徴とする方法。
【請求項８】
請求項１又は２記載の方法であって、
前記ステップｃ）は、前記光ドライブにより、前記復元情報を記憶媒体に格納可能な装置に前記復元情報を転送することを特徴とする方法。
【請求項９】
請求項２記載の方法であって、
前記ステップｄ）は、ユーザにより前記第２コマンドを送信することを特徴とする方法。
【請求項１０】
請求項９記載の方法であって、
前記ステップｄ）は、前記光ドライブの制御手段を起動することを特徴とする方法。
【請求項１１】
請求項２記載の方法であって、
前記ステップｅ）の更新／変更情報は、光記憶媒体上に提供されることを特徴とする方法。
【請求項１２】
請求項２記載の方法であって、
前記ステップｅ）の更新／変更情報は、コンピュータを介し提供されることを特徴とする方法。
【請求項１３】
請求項２記載の方法であって、
前記ステップｅ）の更新／変更情報は、インターネットを介し提供されることを特徴とする方法。
【請求項１４】
請求項２記載の方法であって、
前記ステップｆ）は、ユーザにより前記第３コマンドを送信することを特徴とする方法。
【請求項１５】
請求項１４記載の方法であって、
前記ステップｆ）は、前記光ドライブの制御手段を起動することを特徴とする方法。
【請求項１６】
請求項２記載の方法であって、
前記ステップｆ）は、光記憶媒体を前記光ドライブに挿入することを特徴とする方法。
【請求項１７】
請求項２記載の方法であって、
前記ステップｇ）の復元情報は、光記憶媒体上に提供されることを特徴とする方法。
【請求項１８】
請求項２記載の方法であって、
前記ステップｇ）の復元情報は、前記光ドライブに係るメモリ手段を介し提供されることを特徴とする方法。
【請求項１９】
請求項２記載の方法であって、
前記ステップｇ）の復元情報は、前記復元情報を読むことが可能な装置を介し提供されることを特徴とする方法。
【請求項２０】
当該光ドライブの第１動作状態を復元するのに必要なすべての復元情報を提供するバックアップモードと、
更新／変更情報に基づき、前記第１動作状態を第２動作状態に変更する更新／変更モードと、
前記復元情報に基づき、現在の動作状態を前記第１動作状態に変更する復元モードと、
を少なくとも有することを特徴とする光ドライブ。
【請求項２１】
請求項２０記載の光ドライブであって、
前記復元モードにおいて、当該光ドライブは、前記復元情報に基づき前記更新／変更モードにおいて直接的又は間接的に影響を与える可能性のあるすべての不揮発性メモリ手段のコンテンツを復元可能であることを特徴とする光ドライブ。
【請求項２２】
請求項２０記載の光ドライブであって、
当該光ドライブは、前記復元情報を光記憶媒体に書き込み可能であることを特徴とする光ドライブ。
【請求項２３】
請求項２０記載の光ドライブであって、
当該光ドライブは、メモリ手段と、前記復元情報を前記メモリ手段に格納する手段とを有することを特徴とする光ドライブ。
【請求項２４】
請求項２０記載の光ドライブであって、
当該光ドライブは、前記復元情報を格納可能な装置に前記復元情報を転送する手段を有することを特徴とする光ドライブ。
【請求項２５】
請求項２０記載の光ドライブであって、
当該光ドライブは、光記憶媒体から前記更新／変更情報を読むことが可能であることを特徴とする光ドライブ。
【請求項２６】
請求項２０記載の光ドライブであって、
当該光ドライブは、前記更新／変更情報を提供する装置から前記更新／変更情報を受け付ける手段を有することを特徴とする光ドライブ。
【請求項２７】
請求項２０記載の光ドライブであって、
当該光ドライブは、インターネットを介し前記更新／変更情報を受け付ける手段を有することを特徴とする光ドライブ。
【請求項２８】
請求項２０記載の光ドライブであって、
当該光ドライブは、光記憶媒体から前記復元情報を読むことが可能であることを特徴とする光ドライブ。
【請求項２９】
請求項２０記載の光ドライブであって、
当該光ドライブは、前記復元情報を提供する装置から前記復元情報を受け付ける手段を有することを特徴とする光ドライブ。
【発明の詳細な説明】
【技術分野】
【０００１】
本発明は、光ドライブの第１動作状態を復元する可能性を提供する方法及び光ドライブの第１動作状態を復元する方法に関する。さらに、本発明は、光ドライブに関する。
【背景技術】
【０００２】
ＣＤやＤＶＤドライブなどの光ドライブが市場において流通されるとき、これらの光ドライブが依然としてエラー（バグ）を有し、あるいは光ドライブのある特徴が光ドライブにおいてまだ可能とされていない可能性がある。従って、ユーザには、バグに対する修正を含み、及び／又はドライブの新たな特徴を可能にするより新規なファームウェアにより自らの光ドライブをアップグレード（フラッシュ）する可能性が提供される。
【０００３】
しかしながら、このより新規なファームウェアがユーザによって要求される規格を満たしていない可能性がある。これは、例えば、新たなファームウェアが光ドライブをアップグレードするようユーザをトリガーしたエラーよりもユーザを悩ます新たなバグを含む場合であるかもしれない。この場合、ユーザは、アップグレードを無効にし、光ドライブの第１動作状態、すなわち、アップグレード前の動作状態を復元することを所望するかもしれない。しかしながら、古いファームウェアによる再フラッシュの後でさえ、第１動作状態が良好に復元されない問題が生ずるかもしれない。これは、多くの場合、新たなファームウェアがまた、再フラッシュの後でさえ、更新された状態を維持する光ドライブの他のプログラマブルコンテンツ（例えば、ＥＥＰＲＯＭに格納される）を再プログラムすることが可能であるという事実によるものである。
【０００４】
さらに、光ドライブのプログラマブルコンテンツは、ファームウェアの更新が実行されない場合でさえ、所望されない方法により変更される可能性があり、この場合、そのようなプログラマブルコンテンツの所望されない変更は、例えば、誤りによって、又は他の何れかのイベントによって、ユーザによりトリガーされるかもしれない。また、このようなプログラマブルコンテンツの所望されない変更は、第１動作状態から第２動作状態への変更を導くこととなる。
【発明の開示】
【発明が解決しようとする課題】
【０００５】
本発明の課題は、光ドライブの第１動作状態、すなわち、新たなファームウェアによりアップグレード前の動作状態、及び／又は他の何れかの理由によるプログラマブルコンテンツの所望されない変更前の動作状態を復元することを常に可能にすることである。
【課題を解決するための手段】
【０００６】
上記課題は、独立クレームの特徴によって解決される。本発明のさらなる発展型及び好適な実施例は、従属クレームにより概略される。
【０００７】
本発明の第１の特徴によると、光ドライブの第１動作状態を復元する可能性を提供する方法であって、ａ）前記光ドライブが前記第１動作状態にあるとき、前記光ドライブにバックアップモードに移行するよう指示する第１コマンドを前記光ドライブに送信するステップと、ｂ）前記光ドライブによって、前記第１動作状態を復元するのに必要なすべての復元情報を提供するステップと、ｃ）前記復元情報を記憶媒体に格納するステップとを有することを特徴とする方法が提供される。
【０００８】
本発明の第２の特徴によると、上記課題は、光ドライブの第１動作状態を復元する方法であって、ａ）前記光ドライブが前記第１動作状態にあるとき、前記光ドライブにバックアップモードに移行するよう指示する第１コマンドを前記光ドライブに送信するステップと、ｂ）前記光ドライブにより、前記第１動作状態を復元するのに必要なすべての復元情報を提供するステップと、ｃ）前記復元情報を記憶媒体に格納するステップと、ｄ）前記光ドライブに更新／変更モードに移行するよう指示する第２コマンドを前記光ドライブに送信するステップと、ｅ）前記第１動作状態から第２動作状態に変更する更新／変更情報を前記光ドライブに提供するステップと、ｆ）前記光ドライブに復元モードに移行するよう指示する第３コマンドを前記光ドライブに送信するステップと、ｇ）前記記憶媒体から前記復元情報を読み、現在の動作状態から前記第１動作状態に変更する復元情報を前記光ドライブに提供するステップとを有することを特徴とする方法により実現される。
【０００９】
上記手段は、ユーザが現在ロードされているファームウェアと、ドライブの他のすべてのプログラマブルコンテンツを記憶媒体に格納することを可能にする。このとき、この記憶又は「バックアップ」媒体は、ユーザが第１動作状態、すなわち、バックアップ時の状態にユーザが所望するときは常に戻れることを可能にする。
【００１０】
前記ステップａ）は、好ましくは、ユーザにより前記第１コマンドを送信する。このコマンドは、例えば、リモコンや光ドライブに接続される他の何れかの装置を介し何れか適切な方法により送信されるようにしてもよい。
【００１１】
これに関する１つの好適な手段は、前記ステップａ）は、前記光ドライブの制御手段を起動することである。
【００１２】
本発明による方法の好適な実施例は、前記復元情報が、前記光ドライブを更新することによって直接的又は間接的に影響を与える可能性があるすべての不揮発性メモリ手段のコンテンツを復元することを可能にする。上述のように、これらのメモリ手段は、例えば、交信中にフラッシュされるフラッシュメモリと、例えば、従来技術による再フラッシュ処理によっては復元されないプログラマブルコンテンツなど、所望されない方法により変更される可能性のあるプログラマブルコンテンツを含む１以上のＥＥＰＲＯＭを有するようにしてもよい。
【００１３】
本発明による１つの好適な手段は、前記ステップｃ）は、前記光ドライブにより、前記復元情報を光記憶媒体に書き込むことである。この場合の光記憶媒体は、好ましくは、それがいわゆる「フラッシュディスク」として認識されるように構成される。このようなフラッシュディスクは、ファームウェアを含むディスクであり、光ドライブに挿入されると、それは装置が他のファームウェアをロードすることをトリガーする。
【００１４】
他の実施例によると、前記ステップｃ）は、前記光ドライブに係るメモリ手段に前記復元情報を格納する。この場合のメモリ手段は、例えば、不揮発性メモリ機能を提供する何れか適切な半導体装置の形式によるものであってもよい。光ドライブ自体がハードディスクを有する場合には、このハードディスクがメモリ手段を構成するかもしれない。
【００１５】
さらに、前記ステップｃ）は、前記光ドライブにより、前記復元情報を記憶媒体に格納可能な装置に前記復元情報を転送することが可能である。この場合、当該装置は、特に光りドライブが接続されるコンピュータであるかもしれない。
【００１６】
以下の特徴は、復元処理が可能とされるだけでなく、実際に実行されるケースに関する。
【００１７】
更新／変更モードに移行するため、前記ステップｄ）が、ユーザにより前記第２コマンドを送信することが可能である。またこの場合、コマンドは何れか適切な方法により入力されるかもしれない。一般に、第２コマンドは、光ドライブの不揮発性メモリ手段のコンテンツの所望されない変更が可能な状態に導く可能性のある任意のイベントによって構成されるかもしれない。
【００１８】
例えば、これに関してまた、前記ステップｄ）が、前記光ドライブの制御手段を起動することが可能である。
【００１９】
本発明の好適な実施例によると、前記ステップｅ）の更新／変更情報は、光記憶媒体上に提供される。この場合、光記憶媒体は、好ましくは、フラッシュディスクである。しかしながら、例えば、当該変更情報はユーザにより直接的又は間接的に提供することが可能である。
【００２０】
また、前記ステップｅ）の更新／変更情報は、コンピュータを介し提供されることが可能である。コンピュータは、当業者に知られる何れか適切な方法により光ドライブに接続されるようにしてもよい。
【００２１】
本発明の他の実施例によると、前記ステップｅ）の更新／変更情報は、インターネットを介し提供される。この場合、光ドライブ自体がインターネットに接続されてもよいし、あるいは、光ドライブがインターネットアクセスを有する装置に接続されてもよい。
【００２２】
復元モードに移行するため、前記ステップｆ）は、ユーザにより前記第３コマンドを送信することが可能である。
【００２３】
またこれに関して、前記ステップｆ）は、前記光ドライブの制御手段を起動することが可能である。上述したコマンドの１以上を入力する制御手段は、これに限定するものではないが、例えば、光ドライブのイジェクトボタンによって構成されるかもしれない。
【００２４】
さらに、前記ステップｆ）は、光記憶媒体を前記光ドライブに挿入することが可能である。例えば、光記憶媒体がフラッシュディスクによって構成される場合、光ドライブは、フラッシュディスクを認識し、復元モードに自動的に移行する。
【００２５】
本発明の１つの好適な実施例によると、前記ステップｇ）の復元情報は、光記憶媒体上に提供される。フラッシュディスクなどの光記憶媒体は、例えば、好ましくは、本発明による方法のステップｃ）において生成される光記憶媒体である。
【００２６】
しかしながらまた、前記ステップｇ）の復元情報は、前記光ドライブに係るメモリ手段を介し提供されることが可能である。メモリ手段は、ステップｃ）に関して上述されるように実現されるかもしれない。
【００２７】
本発明の範囲内に属する他の可能性は、前記ステップｇ）の復元情報は、前記復元情報を読むことが可能な装置を介し提供されることである。再び、当該装置は、例えば、コンピュータであるかもしれない。この場合、コンピュータ上のアプリケーションは、フラッシュディスクについて求められるディスクレイアウトを構築し、又はハードディスクなどに格納可能なフラッシュファイルを生成することがかのうである可能性がある。
【００２８】
本発明の第３の特徴によると、当該光ドライブの第１動作状態を復元するのに必要なすべての復元情報を提供するバックアップモードと、更新／変更情報に基づき、前記第１動作状態を第２動作状態に変更する更新／変更モードと、前記復元情報に基づき、現在の動作状態を前記第１動作状態に変更する復元モードとを少なくとも有することを特徴とする光ドライブが提供される。このような光ドライブは、光ドライブの第１動作状態を復元する上述の方法を実行するのに適している。従って、繰り返しを回避するため、この点について上述の各説明が参照される。
【００２９】
以下において、本発明による光ドライブの好適な実施例が概略される。また、これらの実施例の効果及び特徴に関して、繰り返しを避けるため、本発明による方法に関する各説明が参照される。
【００３０】
本発明による光ドライブのすべての実施例について、前記復元モードにおいて、当該光ドライブは、前記復元情報に基づき前記更新／変更モードにおいて直接的又は間接的に影響を与える可能性のあるすべての不揮発性メモリ手段のコンテンツを復元可能であることが好ましい。
【００３１】
光ドライブの一実施例によると、当該光ドライブは、前記復元情報を光記憶媒体に書き込み可能である。
【００３２】
しかしながらまた、当該光ドライブは、メモリ手段と、前記復元情報を前記メモリ手段に格納する手段とを有することが可能である。さらなる可能性は、当該光ドライブは、前記復元情報を格納可能な装置に前記復元情報を転送する手段を有するということである。
【００３３】
光ドライブの更新／変更情報の受け付けに関して、当該光ドライブは、光記憶媒体から前記更新／変更情報を読むことが可能であることが可能である。
【００３４】
光ドライブのさらなる発展型によると、当該光ドライブは、前記更新／変更情報を提供する装置から前記更新／変更情報を受け付ける手段を有する。
【００３５】
さらに、本発明による光ドライブは、前記復元情報を提供する装置から前記復元情報を受け付ける手段を有することが可能である。
【００３６】
本発明の上記及び他の特徴は、後述される実施例を参照して明らかにされるであろう。
【発明を実施するための最良の形態】
【００３７】
図１のフローチャートに示されるステップＳ１〜Ｓ３は、本発明によるさらなる動作状態を復元する可能性を提供する方法の一般的な実施例を示し、フローチャートのステップＳ１〜Ｓ７は、本発明による光ドライブの第１動作状態を復元する方法の一般的な実施例を示す。
【００３８】
ステップＳ１では、第１コマンドが、例えば、ＣＤ及び／又はＤＶＤドライブであるかもしれない光ドライブに送信される。第１コマンドは、光ドライブにバックアップモードに入るよう指示する。光ドライブが現在ロードされているファームウェアと、光ドライブの不揮発性メモリ手段に格納されるユーザにより行われたさらなる調整とによって規定される第１動作状態にある間、バックアップモードに入れられる。第１コマンドは、例えば、光ドライブの他の制御要素を起動することによって、又は、光ドライブのイジェクトボタンを特別な方法により押下する等によって、送信されるかもしれない。また、第１コマンドはリモコンやコンピュータなどの光ドライブに接続される他の装置を介し、光ドライブに送信することも可能である。本発明によると、ユーザは、例えば、ユーザが新たなファームウェアをインストールする前にバックアップモードをトリガーする。しかしながら、ユーザが所望されない方法により不揮発性メモリ手段のコンテンツを変更するかもしれない他の何れかを実行する前に、バックアップモードをトリガーすることも可能である。もちろん、ときどき安全性の理由のためにバックアップを生成するため、バックアップモードに入ることも可能である。ユーザにバックアップモードに良好に移行したことを通知するため、光ドライブは、例えば、トレイをイジェクトするかもしれない。この場合、ユーザは、適切な記憶媒体を挿入し、ステップＳ２をトリガーするためトレイを閉じるようにしてもよい。
【００３９】
ステップＳ２において、光ドライブは、第１動作状態を復元するのに必要なすべての復元情報を直接記憶媒体に又は他の何れか適切な装置に提供する。この復元情報は、現在インストールされているファームウェアバージョンに対応する情報だけでなく、ファームウェアアップグレードにより影響を受ける可能性がある他のすべての情報を含む。
【００４０】
ステップＳ３において、復元情報は、適切な記憶媒体に格納される。本発明のより好適な実施例によると、この記憶媒体は、光ドライブがいわゆるフラッシュディスクを生成するため書き込み可能なＣＤやＤＶＤなどの光記憶媒体によって構成される。しかしながら、光ドライブ自体又は光ドライブが接続されるコンピュータに係るハードディスクに関する復元情報を格納することも可能である。一般に、復元情報が必要に応じて、第１動作状態を復元するのに適した方法により光ドライブを供給可能であるということが保証される限り、任意の適切な記憶媒体が利用可能である。ユーザに復元情報が良好に記憶媒体に書き込まれたことを通知するため、光ドライブは、例えば、ユーザが記憶媒体を取り出すことができるように、自動的に再びトレイをイジェクトするようにしてもよい。記憶媒体が、例えば、書き込み可能なＣＤ又はＤＶＤであった場合、ユーザは、ステップＳ３の終了後にＣＤ又はＤＶＤを取り出すようにしてもよい。ステップＳ３の終了後、ユーザは、第１動作状態を復元する可能性を有し、本発明による各方法はステップＳ３で終了する。
【００４１】
ここまで、ユーザが光ドライブのファームウェアを更新することを所望していることが仮定された。従って、ステップＳ４において、第２コマンドが、何れか適切な方法によりユーザによって光ドライブに送信される。これはまた、当該技術分野では知られている。しかしながら、ファームウェアアップグレードが所望されない方法により不揮発性メモリ手段のコンテンツを変更する可能性のある唯一の可能性のあるイベントであるということは明らかであるべきであり、ファームウェアアップグレード以外の他のイベントによってトリガーされる所望されない変更は実行されないかもしれないということは、本発明の趣旨及び範囲内である。
【００４２】
ステップＳ５において、更新／変更情報がファームウェアを変更するため、光ドライブに提供される。ここで使用される表現による当該ファームウェアの変更は、第１動作状態を第２動作状態に変更する一例である。このような更新処理によって、上述されるように多くのケースにおいて、ファームウェア自体が変更されるだけでなく、従来技術による光ドライブの他のプログラマブルコンテンツもまた、光ドライブを単に再フラッシュすることによっては復元することはできない。
【００４３】
ここまで、何れかの理由により、ユーザがファームウェアの更新結果に満足せず、従って、第１動作状態、すなわち、本例でのファームウェアの更新前の状態に復元することを所望していると仮定される。ここでは、各状態の復元情報が利用可能である限り、ユーザは複数の以前の状態に戻ることが可能であるということが強調される。
【００４４】
ステップＳ６において、第３コマンドが、再び何れか適切な方法によりユーザによって光ドライブに送信される。この第３コマンドは、光ドライブに復元モードに移行するよう指示する。復元モードに移行する簡単な可能性は、例えば、ユーザが光ドライブによって自動認識されるフラッシュディスクを挿入することであるかもしれない。
【００４５】
ステップＳ７において、復元情報が、フラッシュディスクなどの記憶媒体から読み出される。その後、復元情報は、それが現在の動作状態を光ドライブの第１動作状態に変更するように、光ディスク又はそれのコンポーネントに提供される。上記の例を従うために、ユーザは、復元処理が完了すると、ドライブからフラッシュディスクを取り出すようにしてもよい。
【００４６】
図２は、本発明による光ドライブの第１実施例を示す概略的かつ簡単化されたブロック図である。図２に示される光ドライブ１０は、例えば、ＣＤ又はＤＶＤを読み書きするよう構成されるリード／ライトユニット１２を有する。各光記憶媒体１４が、リード／ライトユニット１２に挿入される。さらに、図２に示されるさらなるコンポーネントと通信し、ドライブ全体を制御するコントローラ１６が設けられる。２つの不揮発性メモリ１８及び２０が、概略的に示される。例えば、不揮発性メモリ１８は、フラッシュメモリであってもよく、不揮発性メモリ２０は、ＥＥＰＲＯＭであってもよい。説明を簡単化するため、メモリ１８はファームウェアを有し、メモリ２０はユーザによるプログラム可能な情報を含むと仮定されてもよい。さらに、イジェクトボタン２２が、図２に概略的に示される。
【００４７】
図に示される光ドライブは、本発明による方法を実行するのにすべて適したものである。従って、繰り返しを回避するため、以前の動作状態を復元する可能性を提供するのに必要な処理と、このような状態自体を復元する処理のみが、以下において簡略的に説明される。
【００４８】
図２を再び参照するに、ユーザは、例えば、より長い時間イジェクトボタン２２を押下することによってバックアップモードに移行するかもしれない。それに応答して、光ドライブ１０はトレイをイジェクトし、ユーザは書き込み可能な光記憶媒体を挿入する。トレイが再び閉じられると、光ドライブ１０は、フラッシュディスクを生成するため、光記憶媒体に実際の動作状態を復元するのに必要なすべての復元情報を書き込む。
【００４９】
これまで、ユーザがファームウェア更新を行うことによって、第１動作状態から第２動作状態に変更したが、この更新結果に満足しないことが仮定されている。
【００５０】
この結果、ユーザは、バックアップモード中に生成されたフラッシュディスクを挿入する。これにより、光ドライブは、現在の動作状態が第１動作状態に変更される復元モードに移行する。この復元処理によって、古いファームウェアがメモリ１８に格納されるだけでなく、対応するメモリ２０のコンテンツもまた復元される。
【００５１】
図３は、本発明による光ドライブの第２実施例を示す概略的な簡単化されたブロック図である。図３に示される光ドライブは、図３による光ドライブが、復元情報が格納可能なさらなるメモリ手段２４を有するという点を除いて、図２の光ドライブに対応する。メモリ手段２４は、例えば、光ドライブ１０に係るハードディスクドライブの形式をとるかもしれない。もちろん、さらなるメモリ手段が何れか適切な半導体記憶装置の形式をとる可能性もある。図３による構成は、例えば、ユニット１２がリード／ライトユニットではなく、リードユニットである場合に有用である。
【００５２】
図４は、本発明による光ドライブの第３実施例を示す概略的な簡単化されたブロック図である。図４に示される実施例は、図４によると、光ドライブ１０が当業者に知られている何れか適切な方法により装置２８に接続されるインタフェース２６が設けられるという点を除いて、図２の実施例に対応している。装置２８は、例えば、復元された情報がフラッシュファイルの形式などにより書き込まれるハードディスクドライブ３０を有するコンピュータであってもよい。この結果、ユーザが復元処理を実行することを所望するとき、必要な復元情報が装置２８により光ドライブ１０に提供される。
【００５３】
図５は、本発明による光ドライブの第４実施例を示す概略的な簡単化されたブロック図である。図５に示される実施例は、図５によると、光ドライブ１０が、光ドライブ１０がインターネット３４にアクセス可能にするインタフェース３２を有するという点を除いて、図２の実施例に対応する。このような場合、更新／変更情報がまた、インターネットから直接取得されるかもしれない。インターネットサーバに復元情報を格納することが原則的に可能である一方、この復元情報が図２に関して説明されたような光記憶媒体に格納されることが好ましい。
【００５４】
さらに、上述されない均等物及び変更がまた、添付された請求項に規定される本発明の範囲から逸脱することなく利用されるかもしれない。
【図面の簡単な説明】
【００５５】
【図１】図１は、本発明による光ドライブの第１動作状態を復元する可能性を提供する方法の一実施例と、本発明による光ドライブの第１動作状態を復元する方法とを示すフローチャートを示す。
【図２】図２は、本発明による光ドライブの第１実施例を示す概略的な簡単化されたブロック図である。
【図３】図３は、本発明による光ドライブの第２実施例を示す概略的な簡単化されたブロック図である。
【図４】図４は、本発明による光ドライブの第３実施例を示す概略的な簡単化されたブロック図である。
【図５】図５は、本発明による光ドライブの第４実施例を示す概略的な簡単化されたブロック図である。
【図１】
2007534095.tif 000003
【図２】
2007534095.tif 000004
【図３】
2007534095.tif 000005
【図４】
2007534095.tif 000006
【図５】
2007534095.tif 000007
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
光ドライブの第１動作状態を復元する可能性を提供する方法であって、
ａ）前記光ドライブが前記第１動作状態にあるとき、前記光ドライブにバックアップモードに移行するよう指示する第１コマンドを前記光ドライブに送信するステップと、
ｂ）前記光ドライブによって、前記第１動作状態を復元するのに必要であって、前記光ドライブを更新することによって直接的又は間接的に影響を与える可能性のあるすべての不揮発性メモリ手段のコンテンツを復元可能であるすべての復元情報を提供するステップと、
ｃ）前記復元情報を記憶媒体に格納するステップと、
を有することを特徴とする方法。
【請求項２】
請求項１記載の方法であって、さらに、
ｄ）前記光ドライブに更新／変更モードに移行するよう指示する第２コマンドを前記光ドライブに送信するステップと、
ｅ）前記第１動作状態から第２動作状態に変更する更新／変更情報を前記光ドライブに提供するステップと、
ｆ）前記光ドライブに復元モードに移行するよう指示する第３コマンドを前記光ドライブに送信するステップと、
ｇ）前記記憶媒体から前記復元情報を読み、現在の動作状態から前記第１動作状態に変更する復元情報を前記光ドライブに提供するステップと、
を有することを特徴とする方法。
【請求項３】
請求項１又は２記載の方法であって、
前記ステップｃ）は、前記光ドライブにより、前記復元情報を光記憶媒体に書き込むことを特徴とする方法。
【請求項４】
請求項２記載の方法であって、
前記ステップｃ）は、前記光ドライブに係るメモリ手段に前記復元情報を格納することを特徴とする方法。
【請求項５】
請求項１又は２記載の方法であって、
前記ステップｃ）は、前記光ドライブにより、前記復元情報を記憶媒体に格納可能な装置に前記復元情報を転送することを特徴とする方法。
【請求項６】
請求項２記載の方法であって、
前記ステップｄ）及び／又は前記ステップｆ）は、前記光ドライブの制御手段を起動することを特徴とする方法。
【請求項７】
請求項２記載の方法であって、
前記ステップｅ）の更新／変更情報は、光記憶媒体上に提供されることを特徴とする方法。
【請求項８】
請求項２記載の方法であって、
前記ステップｅ）の更新／変更情報は、コンピュータ又はインターネットを介し提供されることを特徴とする方法。
【請求項９】
請求項２記載の方法であって、
前記ステップｆ）は、光記憶媒体を前記光ドライブに挿入することを特徴とする方法。
【請求項１０】
請求項２記載の方法であって、
前記ステップｇ）の復元情報は、光記憶媒体上に提供されることを特徴とする方法。
【請求項１１】
請求項２記載の方法であって、
前記ステップｇ）の復元情報は、前記光ドライブに係るメモリ手段を介し提供されることを特徴とする方法。
【請求項１２】
当該光ドライブの第１動作状態を復元するのに必要なすべての復元情報を提供するバックアップモードと、
更新／変更情報に基づき、前記第１動作状態を第２動作状態に変更する更新／変更モードと、
前記復元情報に基づき、現在の動作状態を前記第１動作状態に変更する復元モードと、
を少なくとも有する光ドライブであって、
前記復元モードにおいて、当該光ドライブは、前記復元情報に基づき前記更新／変更モードにおいて直接的又は間接的に影響を与える可能性のあるすべての不揮発性メモリ手段のコンテンツを復元可能であることを特徴とする光ドライブ。
【請求項１３】
請求項１２記載の光ドライブであって、
当該光ドライブは、前記復元情報を光記憶媒体に書き込み可能であることを特徴とする光ドライブ。
【請求項１４】
請求項１２記載の光ドライブであって、
当該光ドライブは、メモリ手段と、前記復元情報を前記メモリ手段に格納する手段とを有することを特徴とする光ドライブ。
【請求項１５】
請求項１２記載の光ドライブであって、
当該光ドライブは、前記復元情報を格納可能な装置に前記復元情報を転送する手段を有することを特徴とする光ドライブ。
【請求項１６】
請求項１２記載の光ドライブであって、
当該光ドライブは、光記憶媒体から前記更新／変更情報を読むことが可能であることを特徴とする光ドライブ。
【請求項１７】
請求項１２記載の光ドライブであって、
当該光ドライブは、前記更新／変更情報を提供する装置から前記更新／変更情報を受け付ける手段を有することを特徴とする光ドライブ。
【請求項１８】
請求項１２記載の光ドライブであって、
当該光ドライブは、インターネットを介し前記更新／変更情報を受け付ける手段を有することを特徴とする光ドライブ。
【請求項１９】
請求項１２記載の光ドライブであって、
当該光ドライブは、光記憶媒体から前記復元情報を読むことが可能であることを特徴とする光ドライブ。
【請求項２０】
請求項１２記載の光ドライブであって、
当該光ドライブは、前記復元情報を提供する装置から前記復元情報を受け付ける手段を有することを特徴とする光ドライブ。
【国際調査報告】
2007534095.tif 000008
2007534095.tif 000009
2007534095.tif 000010